【手続補正書】
【提出日】平成28年4月22日(2016.4.22)
【手続補正１】
【補正対象書類名】明細書
【補正対象項目名】００２４
【補正方法】変更
【補正の内容】
【００２４】
さらに、第1のユーザ機器が、第1のユーザ機器が現在配置されているセルのサービング基地局との接続をセットアップした後、第1のユーザ機器は、共通の接続状態(common connected state)、または接続状態(connected state)で長期不連続受信モードを維持してよく、それに加えて、第1のユーザ機器は、セルを退出する前に、第1のユーザ機器に割り当てられて第1のユーザ機器の情報をブロードキャストするのに使用されているリソースの再利用を、サービング基地局に通知してもよい。
【手続補正２】
【補正対象書類名】明細書
【補正対象項目名】００２５
【補正方法】変更
【補正の内容】
【００２５】
この実装方式では、第1のユーザ機器によって、第1のユーザ機器が現在配置されているセルのサービング基地局との接続をセットアップする処理において、第1のユーザ機器は、第1のユーザ機器のサービス情報、または第1のユーザ機器のサービス情報ならびにアプリケーション層のサービス情報、または第1のユーザ機器のサービス情報ならびにサービスコード、または第1のユーザ機器のサービス情報、アプリケーション層のサービス情報ならびにサービスコードを、サービング基地局または進化型パケットコアネットワーク(Evolved Packet Core、以下略してEPC)エンティティ装置にさらに送信してよい。この場合、第1のユーザ機器によってブロードキャストされた情報が、第1のユーザ機器のアプリケーション層のサービス情報および/またはサービスコードを含むが、第1のユーザ機器のサービス情報を含んでいなければ、第2のユーザ機器は、サービング基地局またはEPCエンティティ装置に、第1のユーザ機器のアプリケーション層のサービス情報および/またはサービスコードを送信し、第1のユーザ機器のアプリケーション層のサービス情報および/またはサービスコードに従って、サービング基地局またはEPCエンティティ装置が送信した第1のユーザ機器のサービス情報を受信し、第1のユーザ機器のサービス情報によって非アクセス層のメッセージを生成し、非アクセス層のメッセージをネットワーク側装置に送信して、第1のユーザ機器との接続をセットアップしてよく、あるいは、接続セットアップの要求メッセージが、第1のユーザ機器のアプリケーション層のサービス情報および/またはサービスコードを有し、サービング基地局は、第2のユーザ機器が送信した接続セットアップの要求メッセージを受信してから、第1のユーザ機器のサービス情報を、ローカルで、または接続セットアップの要求メッセージに含まれた第1のユーザ機器のアプリケーション層のサービス情報および/またはサービスコードに従って、EPCエンティティ装置から取得し、第2のユーザ機器が送信した接続セットアップの要求メッセージに対して第1のユーザ機器のサービス情報を追加し、第１のユーザ機器のサービス情報が追加された追加された後、接続セットアップの要求メッセージをコアネットワーク装置に送信することができるように、第2のユーザ機器
は、サービング基地局に接続セットアップの要求メッセージを送信してもよい。
【手続補正３】
【補正対象書類名】明細書
【補正対象項目名】００７９
【補正方法】変更
【補正の内容】
【００７９】
ステップ405:UE1は、Uuインターフェース上で、サービング基地局との接続をセットアップした後、共通の接続状態、または接続状態で長期DRXモード(long DRX mode)を維持する。
【手続補正４】
【補正対象書類名】明細書
【補正対象項目名】０１１３
【補正方法】変更
【補正の内容】
【０１１３】
さらに、この実施形態では、第1のユーザ機器は、
接続セットアップサブモジュール514が、第1のユーザ機器が現在配置されているセルのサービング基地局との接続をセットアップした後、共通の接続状態、または接続状態において長期不連続受信モードを維持するように構成されている維持モジュール55と、
第1のユーザ機器がセルを退出する前に、第1のユーザ機器に割り当てられて第1のユーザ機器の情報をブロードキャストするのに使用されているリソースの再利用を、サービング基地局に通知するように構成されている通知モジュールと、
接続セットアップサブモジュール514による、第1のユーザ機器が現在配置されているセルのサービング基地局との接続をセットアップする処理において、第1のユーザ機器のサービス情報、または第1のユーザ機器のサービス情報ならびにアプリケーション層のサービス情報、または第1のユーザ機器のサービス情報ならびにサービスコード、または第1のユーザ機器のサービス情報、アプリケーション層のサービス情報ならびにサービスコードを、サービング基地局またはEPCエンティティ装置に送信するように構成されている第1の送信モジュール57とをさらに含んでよい。
【手続補正５】
【補正対象書類名】特許請求の範囲
【補正対象項目名】全文
【補正方法】変更
【補正の内容】
【特許請求の範囲】
【請求項１】
装置対装置（Ｄ２Ｄ）通信方法であって、
Ｄ２Ｄ機能をサポートする第１のユーザ機器によって、前記第１のユーザ機器の情報をブロードキャストするためのリソースを取得するステップであって、前記リソースは、前記第１のユーザ機器が配置されているセルのサービング基地局によって割り当てられる、ステップと、
前記第１のユーザ機器によって、Ｄ２Ｄ機能をサポートする第２のユーザ機器に、前記取得されたリソースについての前記第１のユーザ機器の前記情報をブロードキャストするステップと
を含む方法。
【請求項２】
前記第１のユーザ機器の情報をブロードキャストするための前記リソースを取得する前記ステップは、
前記サービング基地局によって前記セル内のＤ２Ｄ機能をサポートするユーザ機器に予め割り当てられ、かつ、前記ユーザ機器の情報をブロードキャストするために使用されるリソースを、前記第１のユーザ機器によって取得するステップと、
前記第１のユーザ機器によって、前記サービング基地局によって予め割り当てられた前記リソースから、前記第１のユーザ機器の情報をブロードキャストするための前記リソースを選択するステップと
を含む、請求項１に記載の方法。
【請求項３】
前記リソースは、ブロードキャストメッセージを通して、前記サービング基地局によってブロードキャストされる、請求項２に記載の方法。
【請求項４】
前記第１のユーザ機器の情報をブロードキャストするための前記リソースは、その干渉レベルが所定の閾値より低いリソースである、請求項２または３に記載の方法。
【請求項５】
前記第１のユーザ機器の情報をブロードキャストするための前記リソースを取得する前記ステップは、
前記第１のユーザ機器の情報をブロードキャストするための前記リソースを割り当てるよう前記サービング基地局をトリガするために、前記サービング基地局との接続を、前記第１のユーザ機器によってセットアップするステップ
を含む、請求項１に記載の方法。
【請求項６】
前記サービング基地局との前記接続をセットアップする前記ステップは、
前記第１のユーザ機器によって、無線リソース制御（ＲＲＣ）接続セットアップメッセージまたはＲＲＣ接続セットアップ完了メッセージを、前記サービング基地局に送信するステップ
を含み、前記ＲＲＣ接続セットアップメッセージまたは前記ＲＲＣ接続セットアップ完了メッセージは、前記第1のユーザ機器がＤ２Ｄ機能をサポートすること、および/または、前記ＲＲＣ接続セットアップメッセージにおいてセットアップ要因情報要素の値がＤ２Ｄ接続またはＤ２Ｄコンテンツ発行であることを示す情報要素を運ぶ、請求項５に記載の方法。
【請求項７】
前記サービング基地局との前記接続をセットアップする前記ステップの後に、前記方法は、
前記第１のユーザ機器によって、共通の接続状態、または接続状態で長期不連続受信モードを維持するステップ
を更に含む、請求項５または６に記載の方法。
【請求項８】
前記第１のユーザ機器の前記情報は、第1のユーザ機器の識別子、サービス情報、サービスコード、およびアプリケーション層サービス情報のうちの１つまたは組合せを含む、請求項１から７のいずれか一項に記載の方法。
【請求項９】
前記取得されたリソースについての前記第１のユーザ機器の前記情報をブロードキャストする前記ステップの前に、前記方法は、
前記第１のユーザ機器によって、前記第１のユーザ機器の前記アプリケーション層サービス情報を、サービス管理サーバに送信するステップと、前記第１のユーザ機器に対応する前記サービス情報と、前記サービス管理サーバによって前記第1のユーザ機器に割り当てられた前記サービスコードとを受信するステップと
を更に含み、前記サービス情報は、前記サービス管理サーバによって、前記第１のユーザ機器の前記アプリケーション層サービス情報に応じて見いだされる、請求項８に記載の方法。
【請求項１０】
前記取得されたリソースについての前記第１のユーザ機器の前記情報をブロードキャストする前記ステップは、
前記第1のユーザ機器によって、前記取得されたリソースについての前記第１のユーザ機器の前記情報を、不連続送信モードで、周期的にブロードキャストするステップ
を含む、請求項１から９のいずれか一項に記載の方法。
【請求項１１】
装置対装置（Ｄ２Ｄ）通信方法であって、
基地局によって、Ｄ２Ｄ機能をサポートするユーザ機器に、前記ユーザ機器の情報をＤ２Ｄ機能をサポートする他のユーザ機器にブロードキャストするために使用されるリソースを割り当てるステップと、
前記基地局によって、前記リソースを、前記ユーザ機器に送信するステップと
を含む、方法。
【請求項１２】
前記ユーザ機器の情報をブロードキャストするための前記リソースを割り当てる前記ステップは、
前記基地局によって、前記ユーザ機器が配置されているセル内のＤ２Ｄ機能をサポートするユーザ機器に、リソースを予め割り当てるステップ
を含み、前記リソースは、前記ユーザ機器の情報をブロードキャストするために使用され、前記ユーザ機器の情報をブロードキャストするための前記リソースは、予め割り当てられた前記リソースから、前記ユーザ機器によって選択される、請求項１１に記載の方法。
【請求項１３】
前記リソースは、ブロードキャストメッセージを通して、前記基地局によってブロードキャストされる、請求項１２に記載の方法。
【請求項１４】
前記ユーザ機器の情報をブロードキャストするための前記リソースは、その干渉レベルが所定の閾値より低いリソースである、請求項１２または１３に記載の方法。
【請求項１５】
前記ユーザ機器の情報をブロードキャストするための前記リソースの前記割り当ては、前記ユーザ機器と前記基地局との間の接続セットアップを通して、前記ユーザ機器によってトリガされる、請求項１１に記載の方法。
【請求項１６】
装置対装置（Ｄ２Ｄ）通信方法であって、
Ｄ２Ｄ機能をサポートするユーザ機器によって、Ｄ２Ｄ機能をサポートする他のユーザ機器の情報を受信するステップであって、他のユーザ機器の前記情報は、前記他のユーザ機器が配置されているセルのサービング基地局によって割り当てられたリソースについての前記他のユーザ機器によってブロードキャストされる、ステップと、
前記ユーザ機器によって、前記ユーザ機器が配置されているネットワーク側装置に、他のユーザ機器の前記情報を送信するステップと
を含む方法。
【請求項１７】
前記他のユーザ機器の前記情報は、前記他のユーザ機器の識別子、サービス情報、サービスコード、およびアプリケーション層サービス情報のうちの１つまたは組合せを含む、請求項１６に記載の方法。
【請求項１８】
前記ユーザ機器は、前記他のユーザ機器の情報を、イベントトリガ方式で受信する、請求項１６または１７に記載の方法。
【請求項１９】
ユーザが特定の要求を有するとき、前記受信するステップは、マンマシンインターフェースを通してトリガされ、または、アプリケーション層は、ユーザによって以前にカスタマイズされた要求プロファイルに従って前記受信するステップをトリガする、請求項１８に記載の方法。
【請求項２０】
装置対装置（Ｄ２Ｄ）通信装置であって、Ｄ２Ｄ機能をサポートする第１のユーザ機器に適用され、
前記第１のユーザ機器の情報をブロードキャストするためのリソースを取得するための手段であって、前記リソースは、前記第１のユーザ機器が配置されているセルのサービング基地局によって割り当てられる、手段と、
Ｄ２Ｄ機能をサポートする第２のユーザ機器に、前記取得されたリソースについての前記第１のユーザ機器の情報をブロードキャストする手段と
を含む装置。
【請求項２１】
前記第１のユーザ機器の情報をブロードキャストするための前記リソースを取得するための前記手段は、
前記セル内のＤ２Ｄ機能をサポートするユーザ機器に前記サービング基地局によって予め割り当てられ、かつ、前記ユーザ機器の情報をブロードキャストするために使用されるリソースを取得するための手段と、
前記サービング基地局によって予め割り当てられた前記リソースから、前記第１のユーザ機器の情報をブロードキャストするためにリソースを選択するための手段と
を含む、請求項２０に記載の装置。
【請求項２２】
前記リソースは、ブロードキャストメッセージを通して、前記サービング基地局によってブロードキャストされる、請求項２１に記載の装置。
【請求項２３】
前記第１のユーザ機器の情報をブロードキャストするための前記リソースは、その干渉レベルが所定の閾値より低いリソースである、請求項２１または２２に記載の装置。
【請求項２４】
前記第１のユーザ機器の情報をブロードキャストするための前記リソースを取得するための前記手段は、
前記第１のユーザ機器の情報をブロードキャストするためのリソースを割り当てるよう前記サービング基地局をトリガするために、前記サービング基地局との接続をセットアップするための手段
を含む、請求項２０に記載の装置。
【請求項２５】
前記サービング基地局との前記接続をセットアップするための前記手段は、
無線リソース制御（ＲＲＣ）接続セットアップメッセージまたはＲＲＣ接続セットアップ完了メッセージを、前記サービング基地局に送信するための手段
を含み、前記ＲＲＣ接続セットアップメッセージまたは前記ＲＲＣ接続セットアップ完了メッセージは、前記第1のユーザ機器が前記Ｄ２Ｄ機能をサポートすること、および/または、前記ＲＲＣ接続セットアップメッセージにおいてセットアップ要因情報要素の値がＤ２Ｄ接続またはＤ２Ｄコンテンツ発行であることを示す情報要素を運ぶ、請求項２４に記載の装置。
【請求項２６】
前記サービング基地局との前記接続をセットアップすることの後に、共通の接続状態、または接続状態で長期不連続受信モードを維持するための手段
を更に含む、請求項２４または２５に記載の装置。
【請求項２７】
前記第１のユーザ機器の前記情報は、前記第1のユーザ機器の識別子、サービス情報、サービスコード、およびアプリケーション層サービス情報のうちの１つまたは組合せを含む、請求項２０から２６のいずれか一項に記載の装置。
【請求項２８】
前記取得されたリソースについての前記第１のユーザ機器の前記情報をブロードキャストすることの前に、前記第１のユーザ機器の前記アプリケーション層サービス情報を、サービス管理サーバに送信する手段と、
前記第１のユーザ機器に対応する前記サービス情報と、前記サービス管理サーバによって前記第1のユーザ機器に割り当てられた前記サービスコードとを受信する手段と
を更に含み、前記サービス情報は、前記サービス管理サーバによって、前記第１のユーザ機器の前記アプリケーション層サービス情報に応じて見いだされる、請求項２７に記載の装置。
【請求項２９】
前記取得されたリソースについての前記第１のユーザ機器の前記情報をブロードキャストするための前記手段は、
前記取得されたリソースについての前記第１のユーザ機器の前記情報を、不連続送信モードで、周期的にブロードキャストするための手段
を含む、請求項２０から２８のいずれか一項に記載の装置。
【請求項３０】
装置対装置（Ｄ２Ｄ）通信装置であって、基地局に適用され、
Ｄ２Ｄ機能をサポートするユーザ機器に、前記ユーザ機器の情報をＤ２Ｄ機能をサポートする他のユーザ機器にブロードキャストするために使用されるリソースを割り当てるための手段と、
前記リソースを、前記ユーザ機器に送信するための手段と
を含む装置。
【請求項３１】
前記ユーザ機器の情報をブロードキャストするための前記リソースを割り当てるための前記手段は、
前記ユーザ機器が配置されているセル内のＤ２Ｄ機能をサポートするユーザ機器に、リソースを予め割り当てるための手段
を含み、前記リソースは、前記ユーザ機器の情報をブロードキャストするために使用され、前記ユーザ機器の情報をブロードキャストするための前記リソースは、予め割り当てられた前記リソースから、前記ユーザ機器によって選択される、請求項３０に記載の装置。
【請求項３２】
前記リソースは、ブロードキャストメッセージを通して、前記基地局によってブロードキャストされる、請求項３１に記載の装置。
【請求項３３】
前記ユーザ機器の情報をブロードキャストするための前記リソースは、その干渉レベルが所定の閾値より低いリソースである、請求項３１または３２に記載の装置。
【請求項３４】
前記ユーザ機器の情報をブロードキャストするための前記リソースの前記割り当ては、前記ユーザ機器と前記基地局との間の接続セットアップを通して、前記ユーザ機器によってトリガされる、請求項３０に記載の装置。
【請求項３５】
装置対装置（Ｄ２Ｄ）通信装置であって、Ｄ２Ｄ機能をサポートするユーザ機器に適用され、
Ｄ２Ｄ機能をサポートする他のユーザ機器の情報を受信するための手段であって、他のユーザ機器の前記情報は、前記他のユーザ機器が配置されているセルのサービング基地局によって割り当てられたリソースについての前記他のユーザ機器によってブロードキャストされる、手段と、
前記ユーザ機器が配置されているネットワーク側装置に、他のユーザ機器の前記情報を送信するための手段と
を含む装置。
【請求項３６】
前記他のユーザ機器の前記情報は、前記他のユーザ機器の識別子、サービス情報、サービスコード、およびアプリケーション層サービス情報のうちの１つまたは組合せを含む、請求項３５に記載の装置。
【請求項３７】
前記ユーザ機器は、前記他のユーザ機器の情報を、イベントトリガ方式で受信する、請求項３５または３６に記載の装置。
【請求項３８】
ユーザが特定の要求を有するとき、マンマシンインターフェースを通して、前記受信することをトリガするための手段、または、
ユーザによって以前にカスタマイズされた要求プロファイルに従って、前記受信することをトリガするためのアプリケーション層
を更に含む、請求項３７に記載の装置。
【請求項３９】
請求項１〜２０のいずれか一項に記載の方法を実行するためのプログラムを含むコンピュータ読取可能な記憶媒体。
【手続補正６】
【補正対象書類名】図面
【補正対象項目名】図４
【補正方法】変更
【補正の内容】
【図４】
2016077018.tif 000001